(57)【特許請求の範囲】
【請求項１】
架橋部によって接続される第１及び第２のレンズ保持区画を含むレンズ保持部分を含むメガネフレームを含む安全メガネであって、
前記第１及び第２のレンズ保持区画の１つは、
レンズの縁部を受け入れるよう構成される溝を有する枠によって定められるレンズ受入れ開口と、
該レンズ受入れ開口に隣接し且つ前記架橋部から離間して前記メガネフレームの前記レンズ保持部分に形成される第２の開口と、
前記レンズ受入れ開口と前記第２の開口との間に延在する通路とを含み、
前記レンズ受入れ開口、前記第２の開口、及び前記通路は、前記レンズ保持部分において１つの閉塞された開口を形成し、
該通路は、前記レンズの前記縁部を前記枠の前記溝内に位置付け得るように、前記枠を拡張するために拡大されるよう構成される、
安全メガネ。
【請求項２】
前記１つの区画は、可撓な材料で形成される、請求項１に記載の安全メガネ。
【請求項３】
前記１つの区画は、一体形の成形プラスチックで形成される、請求項１に記載の安全メガネ。
【請求項４】
前記架橋部は、実質的に拡張不能である、請求項１に記載の安全メガネ。
【請求項５】
前記１つの区画に接続されるつる部品を更に含み、該つる部品は、前記メガネフレームが使用者によって装着されるときに、使用者の耳と係合するよう構成される、請求項１に記載の安全メガネ。
【請求項６】
前記つる部品は、前記第２の開口に近接して前記１つの区画に接続される、請求項５に記載の安全メガネ。
【請求項７】
前記レンズ受入れ開口が拡張力に晒されるときに前記通路が拡大するのを防止するために前記通路を横断する取り外し可能な張力構成を更に含む、請求項１に記載の安全メガネ。
【請求項８】
前記張力構成は、ネジを含み、該ネジは、前記通路と実質的に直交する、請求項７に記載の安全メガネ。
【請求項９】
前記第２の開口内に受け入れられるよう構成されるカバーを更に含み、該カバーは、外向き側で前記通路の全てを実質的に覆う、請求項１に記載の安全メガネ。
【請求項１０】
前記レンズ受入れ開口内に挿入され且つ前記枠の前記溝と係合するよう構成されるレンズを更に含む、請求項１に記載の安全メガネ。
【請求項１１】
レンズ保持部分を含むフレームを含む、
安全アイウェア装置であって、
前記レンズ保持部分は、
第１の溝を有する第１の枠によって定められる第１の開口を含む第１のレンズ保持具と、
第２の溝を有する第２の枠によって定められる第２の開口を含む第２のレンズ保持具と、
前記第１のレンズ保持具と前記第２のレンズ保持具とを接続する架橋素子と、
前記第１のレンズ保持具と関連付けられ且つ前記第１の枠を拡大させるための第１の拡大素子と、
前記第２のレンズ保持具と関連付けられ且つ前記第２の枠を拡大させるための第２の拡大素子とを含み、
前記第１の拡大素子は、前記架橋素子から離間して前記フレームの前記レンズ保持部分に形成される第１の近位開口と、該第１の近位開口と前記第１の開口とを接続する第１の通路とを含み、
前記第２の拡大素子は、前記架橋素子から離間して前記フレームの前記レンズ保持部分に形成される第２の近位開口と、該第２の近位開口と前記第２の開口とを接続する第２の通路とを含み、
前記第１の開口、前記第１の近位開口、及び前記第１の通路は、前記レンズ保持部分において、１つの閉塞された開口を形成し、
前記第２の開口、前記第２の近位開口、及び前記第２の通路は、前記レンズ保持部分において、他の１つの閉塞された開口を形成する、
安全アイウェア装置。
【請求項１２】
前記第１及び第２のレンズ保持具と、前記架橋素子と、前記第１及び第２の拡大素子とは、弾性材料で形成される、請求項１１に記載の安全アイウェア装置。
【請求項１３】
前記第１及び第２のレンズ保持具と、前記架橋素子と、前記第１及び第２の拡大素子とは、一体形の成形プラスチックで形成される、請求項１１に記載の安全アイウェア装置。
【請求項１４】
前記第１の拡大素子に接続される第１のつる部品と、前記第２の拡大素子に接続される第２のつる部品とを更に含む、請求項１１に記載の安全アイウェア装置。
【請求項１５】
前記第１の開口が第１の開放力に晒されるときに前記第１の通路が開放するのを防止するために前記第１の通路を横断する第１の取り外し可能な張力構成と、前記第２の開口が第２の開放力に晒されるときに前記第２の通路が開放するのを防止するために前記第２の通路を横断する第２の取り外し可能な張力構成とを更に含む、請求項１１に記載の安全アイウェア装置。
【請求項１６】
前記第１の取り外し可能な張力構成は、前記第１の通路と実質的に直交して位置付けられる第１のネジを含み、前記第２の取り外し可能な張力構成は、前記第１の通路に実質的に直交して位置付けられる第２のネジを含む、請求項１５に記載の安全アイウェア装置。
【請求項１７】
前記第１の近位開口内に挿入され、前記第１の近位開口を塞ぎ、前記第１の通路の第１の外向き側の実質的に全てを覆う第１のカバーと、前記第２の近位開口内に挿入され、前記第２の近位開口を塞ぎ、前記第２の通路の第２の外向き側の実質的に全てを覆う第２のカバーとを更に含む、請求項１１に記載の安全アイウェア装置。
【請求項１８】
前記第１の開口内に挿入され且つ前記第１の枠の前記第１の溝と係合する第１のレンズと、前記第２の開口内に挿入され且つ前記第２の枠の前記第２の溝と係合する第２のレンズとを更に含む、請求項１１に記載の安全アイウェア装置。
【請求項１９】
レンズ保持部分を含むフレームを含む、
安全アイウェア装置であって、
前記レンズ保持部分は、
レンズの縁部を受け入れるよう構成される溝を有する枠によって定められるレンズ受入れ開口と、
該レンズ受入れ開口を他のレンズ受入れ開口と接続する架橋部と、
前記レンズ受入れ開口に近接し且つ前記架橋部から離間して位置付けられる拡大するための手段とを含み、
該拡大手段は、前記フレームの前記レンズ保持部分に形成される第２の開口と、前記レンズ受入れ開口と前記第２の開口との間に延在する通路とを含み、前記第２の開口及び前記通路は、拡大力に晒されるときに前記枠を拡大するよう構成され、
前記レンズ受入れ開口、前記第２の開口、及び前記通路は、前記レンズ保持部分において１つの閉塞された開口を形成する、
安全アイウェアシステム。
【請求項２０】
当該安全アイウェアシステムが使用者によって装着されるときに使用者の耳と係合するための手段と、前記通路が前記拡大力に晒されるときに前記通路が開放するのを防止するための取り外し可能な張力手段とを含み、前記耳と係合するための手段は、前記拡大手段に接続される、請求項１９に記載の安全アイウェアシステム。
【請求項２１】
安全アイウェアを組み立てる方法であって、
前記安全アイウェアのフレームは、架橋部によって接続される第１及び第２のレンズ保持区画を含むレンズ保持部分を含み、
前記レンズ保持区画の１つは、レンズの縁部を受け入れるよう構成される溝を有する枠によって定められるレンズ受入れ開口を含み、前記１つのレンズ保持区画は、前記レンズ受入れ開口に近接し且つ前記架橋部から離間して前記フレームに形成される第２の開口を更に含み、前記１つのレンズ保持区画は、前記レンズ受入れ開口と前記第２の開口との間に延在する通路を更に含み、該通路は、前記レンズの前記縁部を前記枠の前記溝内に位置付け得るように、前記枠を拡張するために拡大されるよう構成され、
当該方法は、
反対に向けられる外向きの引張力を前記通路の両側に適用し、前記通路を分離させ、且つ前記レンズ受入れ開口を拡大させること、
前記レンズ受入れ開口内にレンズを挿入すること、及び
前記通路の両側への前記引張力の適用を停止することを含み、
前記レンズ受入れ開口、前記第２の開口、及び前記通路は、前記レンズ保持部分において、１つの閉塞された開口を形成する、
方法。
【請求項２２】
反対に向けられる外向きの引張力を前記レンズ保持区画の他の１つと関連付けられる他の通路の両側に適用し、前記他の通路を分離させ、且つ、前記レンズ保持区画の他の１つと関連付けられる他のレンズ受入れ開口を拡大させること、前記他のレンズ受入れ開口内に他のレンズを挿入すること、及び、前記他の通路の両側への前記引張力の適用を停止することを更に含む、請求項２１に記載の方法。
【発明の詳細な説明】
【技術分野】
【０００１】
本発明はメガネ（眼鏡）に関し、具体的には、安全メガネレンズ機構及び安全メガネに関する。
【背景技術】
【０００２】
眼に対する危険を引き起こし得る活動中に使用者の眼を保護するために、ここでは安全アイウェア及び安全メガネとも呼ぶ個人の眼の保護具が使用される。安全であると考えられるために、安全アイウェアは、安全規格（例えば、米国規格ＡＳＴＭ  Ｆ８０３−１及び欧州規格ＥＮ１６６）を満足しなければならない。高速粒子衝撃の間にレンズ（破損防止のためにより厚いレンズの種類であり得る）がフレームから落ちるのを防止するために追加のレンズ保持強度をもたらすよう、これらの安全規格を満足するアイウェアを構成し得る。この追加のレンズ保持強度を達成するために、レンズ溝は、普通は０．５ｍｍの溝の深さを有し得るに過ぎない普通のメガネよりもずっと深いことが必要であり得る。特に、より剛的に構築される注入フレームスタイルにおいて、より深いレンズ溝は、レンズを挿入するのを困難にする。
【０００３】
ＤｉＣｈａｉａｒａ  ｅｔ  ａｌ．（ＤｉＣｈｉａｒａ）に付与された米国特許第７，１３７，７００号は、分割フレームとファスナ強化部とを有する衝撃保護アイウェアフレーム組立体を議論している。フレームは、レンズを受け入れるための孔を有し、孔からレンズを挿入し或いは取り外すためにフレームの上方部分及び下方部分を拡張するよう分割される。第１及び第２の突起が、上方及び下方のフレーム部分から外向きにそれぞれ延びる。
【０００４】
Ｐａｒｎｉｃｋａ  ｅｔ  ａｌ．（Ｐｅｒｎｉｃｋａ）に付与された米国特許第６，２２７，６６５号は、一体形のプラスチック成形フレームから成る取り外し可能なレンズを有するスポーツ用メガネを議論しており、フレームは、一対のレンズ受入れ区画と、一対の対向するストラップ受入れつる部品と、レンズ受入れ区画と一体の中央架橋区画とを含む。架橋区画は、上方及び下方架橋部分を定めるよう分割される。間隙を定めて、レンズがレンズ受入れ区画内に取り付けられるのを可能にするよう、上方及び下方架橋部分を手で互いに離間させ得る。
【０００５】
Ｙａｎｇ，ｅｔ  ａｌ．（Ｙａｎｇ）に付与された米国特許第７，５５３，０１４号は、メガネフレーム前方部を含むメガネフレームを議論している。メガネフレーム前方部は、一対の離間した対向するアームを含む。１つのアームの少なくとも１つのアームの外側端部は、一対の離間した対向するアームの間にレンズを把持し且つ保持するために、それらと一体的なレンズ保持部を含む。
【発明の概要】
【発明が解決しようとする課題】
【０００６】
フレームは、レンズ又は複数のレンズを受け入れるよう孔の拡張を可能にするために、側部に（例えば、ＤｉＣｈｉａｒａを参照）或いは中央に（例えば、Ｐｅｒｎｉｃｋａを参照）、分割端部を有する。しかしながら、分割端部は成形及び製造を困難にすることがあり、レンズ保持に関して完全に確実ではないことがある。何故ならば、分割端部を接続するネジは、時間の経過と共に緩みがちであり得るからである。安全アイウェアのレンズが安全でないかもしれないにも拘わらず、この状況が安全アイウェアの目視検査では見えないことがあり得るという点で、この緩みは危険な状況を生み出し得る。加えて、メガネのつる部品は、レンズ保持システムの強度を低減させ得る。
【課題を解決するための手段】
【０００７】
本設計は、端部部品にある開口を含む。開口は、通路又は他の開口によってレンズ領域に接続される。通路及び開口は、レンズがフレーム内に挿入される間に、孔がより大きな程度の伸張を有することを可能にする。レンズがレンズ孔に挿入された後、バレル及びネジが切欠きを通じて通され、締め付けられ、それによって、レンズをフレームのレンズ溝内に係止する。
【０００８】
架橋部によって接続される第１及び第２のレンズ保持区画を含むレンズ保持部分を含むメガネフレームが提供される。それらの区画のうちの１つは、レンズの縁部を受け入れるよう構成される溝を有する枠によって定められるレンズ受入れ開口と、レンズ受入れ開口に隣接し且つ架橋部から離間する第２の開口とを含む。その区画は、レンズ受入れ開口と第２の開口との間に延在する通路も含む。通路は、レンズの縁部を枠の溝内に位置付け得るように、枠を拡張するために拡大されるよう構成される。その１つの区画を可撓な材料で形成し得る。その区画を一体形の成形プラスチックで形成し得る。架橋部は、実質的に拡張不能である。
【０００９】
メガネフレームは、その１つの区画に接続されるつる部品を含み得る。フレームが使用者によって装着されるときに使用者の耳と係合するよう、つる部品を構成し得る。つる部品を、第２の開口に近接して、その１つの区画に接続し得る。
【００１０】
メガネフレームは、レンズ受入れ開口が拡張力に晒されるときに通路が拡大するのを防止するために通路を横断する取り外し可能な張力構成を更に含み得る。張力構成は、ネジを含み得る。ネジは、通路と実質的に直交し得る。
【００１１】
メガネフレームは、第２の開口内に受け入れられるよう構成されるカバーを更に含み得る。カバーは、外向き側で通路の全てを実質的に覆う。メガネフレームは、レンズ受入れ開口内に挿入され且つ枠の溝と係合するよう構成されるレンズを更に含み得る。
【００１２】
第１の溝を有する第１の枠によって定められる第１の開口を含む第１のレンズ保持具と、第２の溝を有する第２の枠によって定められる第２の開口を含む第２のレンズ保持具とを含む、アイウェア装置が提供される。アイウェア装置は、第１のレンズ保持具と第２のレンズ保持具とを接続する架橋素子も含む。アイウェア装置は、第１のレンズ保持具と関連付けられ且つ第１の枠を拡大させるための第１の拡大素子を更に含む。第１の拡大素子は、架橋素子から離間した第１の近位開口と、第１の近位開口と第１の開口とを接続する第１の通路とを含む。アイウェア装置は、第２のレンズ保持具と関連付けられ且つ第２の枠を拡大させるための第２の拡大素子も含む。第２の拡大素子は、架橋素子から離間した第２の近位開口と、第２の近位開口と第２の開口とを接続する第２の通路とを含む。
【００１３】
第１及び第２のレンズ保持具と、架橋素子と、第１及び第２の拡大素子とを、弾性材料で形成し得る。第１及び第２のレンズ保持具と、架橋素子と、第１及び第２の拡大素子とを、一体形の成形プラスチックで形成し得る。
【００１４】
アイウェア装置は、第１の拡大素子に接続される第１のつる部品と、第２の拡大素子に接続される第２のつる部品とを更に含み得る。
【００１５】
アイウェア装置は、第１の開口が第１の開放力に晒されるときに第１の通路が開放するのを防止するために第１の通路を横断する第１の取り外し可能な張力構成を更に含み得る。アイウェア装置は、第２の開口が第２の開放力に晒されるときに第２の通路が開放するのを防止するために第２の通路を横断する第２の取り外し可能な張力構成を更に含み得る。第１の張力構成は、第１の通路と実質的に直交して位置付けられる第１のネジを含み、第２の張力構成は、第１の通路に実質的に直交して位置付けられる第２のネジを含み得る。
【００１６】
アイウェア装置は、第１の近位開口内に挿入され、第１の近位開口を塞ぎ、第１の通路の第１の外向き側の実質的に全てを覆う第１のカバーを更に含み得る。アイウェア装置は、第２の近位開口内に挿入され、第２の近位開口を塞ぎ、第２の通路の第２の外向き側の実質的に全てを覆う第２のカバーも含み得る。
【００１７】
アイウェア装置は、第１の開口内に挿入され且つ第１の枠の第１の溝と係合する第１のレンズと、第２の開口内に挿入され且つ第２の枠の第２の溝と係合する第２のレンズとを更に含み得る。
【００１８】
レンズの縁部を受け入れるよう構成される溝を有する枠によって定められるレンズ受入れ開口と、レンズ受入れ開口を他のレンズ受入れ開口と接続する架橋部とを含む、アイウェアシステムが提供される。アイウェアシステムは、レンズ受入れ開口に近接し且つ架橋部から離間して位置付けられる拡大するための構成も含む。拡大構成は、第２の開口と、レンズ受入れ開口と第２の開口との間に延在する通路とを含む。第２の開口及び通路は、拡大力に晒されるときに枠を拡大するよう構成される。
【００１９】
アイウェアシステムは、アイウェアシステムが使用者によって装着されるときに使用者の耳と係合するための構成を更に含み得る。耳と係合するための構成を拡大構成に接続し得る。アイウェアシステムは、通路が拡大力に晒されるときに通路が開放するのを防止するための取り外し可能な張力構成も含み得る。
【００２０】
アイウェアを組み立てる方法が提供される。アイウェアのフレームは、架橋部によって接続される第１及び第２のレンズ保持区画を含むレンズ保持部分を含む。それらの区画のうちの１つは、レンズの縁部を受け入れるよう構成される溝を有する枠によって定められるレンズ受入れ開口を含む。その１つの区画は、レンズ受入れ開口に近接し且つ架橋部から離間する第２の開口を更に含む。その１つの区画は、レンズ受入れ開口と第２の開口との間に延在する通路も含む。通路は、レンズの縁部を枠の溝内に位置付け得るように、枠を拡張するために拡大されるよう構成される。当該方法は、反対に向けられる外向きの引張力を通路の両側に適用し、通路を分離させ、且つ、レンズ受入れ開口を拡大させることを含む。当該方法は、レンズ受入れ開口内にレンズを挿入すること、及び、通路の両側への力の適用を停止することも含む。
【００２１】
当該方法は、反対に向けられる外向きの引張力を区画の他の１つと関連付けられる他の通路の両側に適用し、他の通路を分離させ、且つ、区画の他の１つと関連付けられる他のレンズ受入れ開口を拡大させることを含み得る。当該方法は、他のレンズ受入れ開口内に他のレンズを挿入すること、及び、他の通路の両側への力の適用を停止することを更に含み得る。
【図面の簡単な説明】
【００２２】
【図１】例示的な実施態様に従ったメガネフレームを示す斜視図である。
【図２】例示的な実施態様に従ったメガネフレームを示す正面斜視図である。
【図３】例示的な実施態様に従った図２のメガネフレームを示す一部分解斜視図である。
【図４】例示的な実施態様に従った方法を示すフローチャートである。
【発明を実施するための形態】
【００２３】
本発明の例示的な実施態様に従った安全アイウェアは、レンズ領域（孔、穴、又は開口とも呼ぶ）の拡張の故に取り外し可能であり且つ挿入可能である交換可能なレンズと、つる部品(temple piece)に向かって位置付けられ且つ通路（切取り又はスリットとも呼ぶ）によってレンズ領域に接続される開口（穴とも呼ぶ）を含む。
【００２４】
通路は、開口と共に、各レンズ保持領域のための撓み構成をもたらす。撓み構成は、フレームの材料の固有の弾性に基づきレンズ領域が拡大されるのを可能にする。例えば、レンズ保持素子を含むフレームの部分、架橋、及び撓み構成のために、一体形の成形プラスチックを使用し得る。プラスチックの固有の弾性は、（開口及び通路を含む）撓み構成の幾何学的構成と組み合わされて、安全メガネのより深い溝内にレンズを挿入するよう、レンズ保持領域が拡大されるのを可能にする。挿入後、テンショナ、例えば、ネジ又は他の締結素子を通路に亘って固定し、通路が開放するのを防止し得る。このようにして、テンショナが所定の場所にないときに、レンズ保持領域はアクセス可能であり、テンショナが固定されるときに、レンズ保持領域はアクセス不能であり得る。
【００２５】
本革新を安全メガネに使用可能であり、それは処方を有しても有さなくてもよい。安全レンズは、衝撃抵抗をもたらすよう、約２ｍｍの中心厚さを有し得る。安全レンズは、ＵＶ、防曇性、及び引掻き防止塗膜を備える、ポリカーボネートレンズであり得る。加えて、本革新を従来的なレンズと共にも使用可能である。
【００２６】
本革新は、高衝撃レンズ保持のために、傾斜したＶ形状溝を含み得る。溝は、前壁よりも高い後壁を有し得る。溝は、具体的には、１．６ｍｍより高い後壁を有し得る。通路を閉塞状態に固定するために使用されるテンショナは、ステンレス鋼製の箱錠(rimlock)バレル及びネジであり得る。例示的な実施態様に従った安全メガネは、開口内に挿入される弾性素子を含み得る。弾性素子は、安全メガネから取り外し可能であり得る。弾性素子は、前方衝撃ダンパ、内側安全側方クッション、及び美観素子として作動し得る。例示的な安全メガネは、追加の保護及び／又は快適性のために、拡張した柔軟な鼻パッドを含み得る。弾性素子及び／又は鼻パッドは、ゴム、及び／又は、あらゆる他の適切な柔軟で弾性的且つ／或いは低アレルギ性の材料であり得る。滑り防止つるパッドも設け得る。滑り防止つるパッドを弾性素子及び／又は鼻パッドと同じ材料又は他の材料でも作製し得る。
【００２７】
例示的な安全メガネは、伸張可能なウェットスーツ材料（例えば洗浄可能な材料）のヘッドバンド係合ロック及び／又は調節可能なベルクロ（登録商標）ヘッドバンドを含み得る。例示的なフレーム材料は、追加的な衝撃抵抗のために、高粘性ポリカーボネート材料であり得る。
【００２８】
図１は、例示的な実施態様に従ったメガネフレーム１００の斜視図である。メガネフレーム１００は、開口１３２と、レンズ孔１２４と開口１３２との間の通路１３４とを含む。通路１３４は、開口１３２と共に、レンズ孔１２４がレンズ挿入のための増大させられた程度の伸張を有することを可能にする。バレル１４２と通路１３４を通じるネジ１４４との締付けは、レンズ孔１２４内に設けられる溝内でレンズ孔１２４内に挿入されるレンズを更に係止し、レンズのより確実な保持を保証する。開口１３２は、フレーム設計に依存して、如何なる形状であってもよい。
【００２９】
図１は、メガネフレーム１００を例示しており、メガネフレームは、レンズ保持部分１１０と、つる部品１５０，１５４とを含む。レンズ保持部分１１０を一体形の成形プラスチックで形成し得る。つる部品１５０，１５４の各々を一体形の成形プラスチックで形成し、接続部１５２，１５６を用いてレンズ保持部分１１０にそれぞれ取り付け得る。接続部１５２，１５６は、ヒンジ（蝶番）又は任意の他の適切な接続機構であり得る。
【００３０】
レンズ保持部分１１０は、架橋部(bridge)１１５によって接続されたレンズ保持区画１２０，１２２を含み得る。レンズ保持区画１２０，１２２は、それぞれ、レンズ孔１２４，１２６を定め得る。レンズ孔１２４，１２６は、安全レンズを係合させるための溝を有し得る。溝はメガネフレームの標準的なレンズ溝よりも深い。レンズ保持部分１１０は、架橋部１１５とは反対のレンズ保持区画１２０の側に、開口１３２も含む。代替的に、開口１３２は、レンズ保持区画１２０に隣接する他の領域にもあってもよい。開口１３２は、レンズ保持部分１１０通じて延在し、レンズ孔１２４への通路１３４と接続し得る。従って、開口１３２、通路１３４、及び、孔１２４は、レンズ保持部分１１０において１つの開口を形成する。この開口は、実質的に孔１２４よりも大きく、従って、孔１２４の枠(rim)にある深い溝と係合するよう構成される安全レンズに適合するよう、孔１２４がより大きな開口に伸張させられるのを可能にする。プラスチック又は任意の他の材料であり得るレンズ保持部分１１０の弾性材料によって、孔１２４の伸張を促進し得る。開口１３２及び通路１３４は、拡大素子１３０を共に形成し、ここでは、拡大素子１４０を撓み構成とも呼び得る。レンズ保持区画１２２のために、他の開口及び通路を設け得る。
【００３１】
拡大素子１３０は、バレル１４２及びネジ１４４に適合するよう構成される孔１４０も含み得る。バレル１４２及びネジ１４４は協働して、通路１３４の開放を防止する張力素子を形成し得る。レンズが孔１２４内に挿入されるとき、ネジ１４４を孔１４０の底部内に挿入し、バレル１４２を孔１４０の頂部内に挿入し得る（或いは逆であり得る）。このようにして、通路１３４の開放を防止することによって、レンズを孔１２４内に固定し得る。
【００３２】
図２は、組み立てられたメガネフレーム１００の前方斜視図であり、メガネフレーム１００は、幾つかのアクセサリを含む。メガネフレーム１００は、レンズ保持部分１１０と、つる部品１５０，１５４とを含む。つる部品１５４は、ヒンジであり得る接続部１５６を用いて、レンズ保持部分１１０に取り付けられる。レンズ保持部分１１０は、架橋部１１５によって接続されるレンズ保持区画１２０，１２２を含み得る。レンズ保持区画１２０，１２２は、それぞれ、レンズ孔１２４，１２６を定め得る。レンズ孔１２４は、安全レンズを係合するための溝２００を含む。レンズ孔１２４は、安全レンズであり得るレンズ２４０を収容する。
【００３３】
図２は、レンズ孔１２４の溝２００にある通路１３４も例示している。通路１３４の外面又は外向き側は、カバー２１５によって覆われる。カバー２１５は、通路１３４に対応する開口を実質的に塞ぎ或いは横切るインサートと一体であり或いは付着し得るし、メガネフレーム１００の内向き側に延び得る。衝撃吸収体２１０は、開口を占める素子の内向き側にあり、従って、カバー２１５と一体であり得る。カバー２２０は、通路とレンズ孔１２６に対応する開口とを覆い得る。
【００３４】
図２のメガネフレーム１００は、ヘッドバンド２３０を含む幾つかのアクセサリを含む。ヘッドバンド２３０は、ベルクロ（登録商標）によって接続される２つの部分であり得るし、或いは、代替的に、１つの伸張可能な織物部分であり得る。ヘッドバンド２３０は、ネオプレン又は任意の他の適切な材料であり得る。ヘッドバンド２３０は、アンカ２３２，２３４によって、つる部品１５０，１５４の端部で、メガネフレーム１００にそれぞれ付着し得る。アンカ２３２，２３４は、可逆的に取り外し可能である。つる部品１５０は、つるパッド２５０を含み得る。つるパッド２５０は、ゴムであり且つ／或いは取り外し可能であり、そして、使用者のためにメガネフレーム１００のより確実な適合をもたらすよう、滑り防止機能をもたらし得る。
【００３５】
図３は、例示的な実施態様に従った図２のメガネフレームの一部分解斜視図である。図３中のメガネフレーム１００は部分的に組み立てられ、部分的に組み立てられた状態において幾つかのアクセサリを含む。メガネフレーム１００は、レンズ保持部分１１０と、つる部品１５０，１５４とを含む。つる部品１５０は、ヒンジであり得る接続部１５２を用いて、レンズ保持部分１１０に付着する。レンズ孔１２４は、安全レンズ３３０を係合するための溝２００を含む。レンズ孔１２６は、安全レンズであり得るレンズ２４０を収容する。
【００３６】
図３中のメガネフレーム１００は、開口１３２と、レンズ孔１２４と開口１３２との間の通路１３４とを含む。通路１３４は、開口１３２と共に、レンズ孔１２４がレンズ挿入のための増大された程度の伸張を有することを可能にする。通路１３４を直交して通じる穴１４０を通じた、対応するバレルへの締付け１４４又は代替的にレンズ保持部分１１０への直接的な締付け１４４は、レンズ孔１２４内に設けられる溝内でレンズ孔１２４内に挿入されるレンズを更に係止して、レンズのより確実な保持を保証する。
【００３７】
素子３００は、メガネフレーム１００から取り外された状態で示されており、素子３００は、取り外し可能に取り付け可能であり得る。素子３００は、開口１３２を占め得る。素子３００は、開口１３２内に挿入されるときに、素子３００のカバー２１５を用いて、通路１３４の外面又は外向き側を覆い得る。素子３００を開口１３２内に挿入し得るし、素子３００はメガネフレーム１００の内向き側に延び得る。素子３００の衝撃吸収体２１０が、開口１３２を占める素子の内向き側にあり得る。レンズ孔１２６に対応するメガネフレーム１００の反対側のための素子の衝撃吸収体３１０が、対応する開口を占める図３に据付け状態において示されている。素子３００は、弾性的であり得るし、且つ／或いは、柔軟な低アレルギ性のゴムであり得る。代替的な実施態様において、素子３００は、剛性又は半剛性であり得るし、可逆的に或いは非可逆的に接続可能であり得る２つ又はそれよりも多くの分離可能な部分であり得る。
【００３８】
架橋部１１５は、メガネフレーム１００が顔の上に装着されるときに使用者の顔に面する内側に鼻パッド３２０を含み得る。鼻パッド３２０は、快適性及び安全性の機能をもたらし得るし、低アレルギ性であり得るし、ゴム又は他の適切な柔軟な弾性材料であり得るし、可逆的に取り外し可能であり得る。
【００３９】
図３のメガネフレーム１００は、ヘッドバンド２３０を含む幾つかのアクセサリを含む。ヘッドバンド２３０は、アンカ２３２，２３４によって、つる部品１５０，１５４の端部でメガネフレーム１００にそれぞれ付着し得る。アンカ２３２は、取り外された状態で図３に示されており、アンカ２３４は、取り付けられた状態で図３に示されている。つる部品１５４は、つるパッド３４０を含み得る。つるパッド３４０は、ゴムであり且つ／或いは取り外し可能であり得るし、使用者のためにメガネフレーム１００のより確実な適合をもたらすよう滑り防止機能をもたらし得る。
【００４０】
図４は、例示的な実施態様に従った方法４００を例示している。方法４００は、開始円４１０で開始し、操作４２０に進む。操作４２０は、反対に向けられる外向きの引張力を通路の両側に適用し、通路を分離させ、レンズ受入れ開口を拡大させることを示している。操作４２０から、方法４００における流れは操作４３０に進む。操作４３０は、レンズをレンズ受入れ開口内に挿入することを示している。操作４３０から、方法４００における流れは操作４４０に進む。操作４４０は、通路の両側への力の適用を停止することを示している。操作４４０から、方法４００における流れは操作４５０に進む。操作４５０は、他のレンズのために操作４２０乃至４４０を反復することを示している。操作４５０から、方法４００における流れは終了円４６０に進む。
【００４１】
前述の議論から明らかなように、本革新は、つる領域内に開口及び通路を有するレンズ組立て機構である。例示的な安全メガネは、高速粒子衝撃の間にレンズがフレームから落ちるのを防止する追加的なレンズ保持強度をもたらすよう構成されるレンズ組立て機構を含む。組立て機構は、通常のメガネフレームの溝よりも深いレンズ溝を有するフレームを含む。フレームは、端部部品の開口や、レンズ孔と開口との間の通路も含み、フレーム内にレンズを挿入するときに、より大きな可撓性を可能にする。レンズ孔の開口並びに挿入後及び使用中のレンズの解放を防止するよう、通路は、ネジであり得るテンショナによって横断され、より具体的には、垂直に二分される。
【００４２】
本発明の限定的な数の好適実施態様のみを例示の目的のために開示したが、それらに多くの変更及び変形を行い得ることは明らかである。以下の請求項によって定められる本発明の範囲に入る全ての変更及び変形をカバーすることを意図する。
【図１】
0005974007.tif 000002
【図２】
0005974007.tif 000003
【図３】
0005974007.tif 000004
【図４】
0005974007.tif 000005